(57)【要約】      （修正有）【課題】データ信号のレベルより高いレベルを有するリセット電圧を印加することによって、液晶の初期化を行うフィールド順次駆動方法及び液晶表示装置を提供する。【解決手段】液晶に印加されるデータ信号のレベル△Ｖｄを上回るレベル△Ｖｒを有するリセット電圧を液晶に印加することによって、初期化を行う。このために、フィールド順次駆動型液晶表示装置は、リセット電圧形成部１５０を備えており、リセット電圧形成部は、データ信号より高いレベル△Ｖｒを有するリセット電圧Ｒｖ形成し、リセット電圧は、ソースドライバ１２０の選択動作により液晶に印加される。【選択図】図２Ａ
2006227569.tif 000002
【特許請求の範囲】
【請求項１】
３つのサブフレームから構成され、それぞれのサブフレームが順次に活性化される液晶の駆動方法であって、
前記それぞれのサブフレームは、
第１のレベルを有するリセット電圧を印加することによって、液晶を初期化する段階と、
前記液晶に前記第１のレベルより低い第２のレベルを有するデータ信号を印加する段階と、
前記データ信号が印加される液晶に光を照射する段階と、を備えることを特徴とするフィールド順次駆動方法。
【請求項２】
前記サブフレームは、
前記液晶を初期化するためのリセット区間と、
前記液晶にデータ信号を印加し、前記光を照射するためのデータ書き込み区間とを含むことを特徴とする請求項１に記載のフィールド順次駆動方法。
【請求項３】
前記リセット電圧は、矩形波であることを特徴とする請求項２に記載のフィールド順次駆動方法。
【請求項４】
前記リセット電圧は、前記リセット区間の間、２つ以上の矩形波を有することを特徴とする請求項３に記載のフィールド順次駆動方法。
【請求項５】
前記データ信号は、矩形波であることを特徴とする請求項４に記載のフィールド順次駆動方法。
【請求項６】
前記データ信号は、パルス幅の変調による信号であることを特徴とする請求項５に記載のフィールド順次駆動方法。
【請求項７】
映像をディスプレイするための液晶パネルと、
前記液晶パネルに走査信号を供給するためのゲートドライバと、
前記液晶パネルにデータ書き込み区間の間にデータ信号を供給し、リセット区間の間にリセット電圧を供給するためのソースドライバと、
デジタルビデオデータ及び同期信号を供給され、前記同期信号によって映像をディスプレイするための制御信号及びデータ信号を形成するためのタイミング制御器と、
前記タイミング制御器のデータ信号を受信し、ルックアップテーブルによって変調されたデータを前記ソースドライバに供給するための階調電圧発生部と、
前記タイミング制御器の制御によって前記データ信号が有するレベルを上回るレベルを有するリセット電圧を発生し、前記リセット電圧を前記ソースドライバに供給するためのリセット電圧形成部と、
前記タイミング制御器の制御によって光制御信号を発生するための光源制御器と、
多数のランプを含み、前記光源制御器の光制御信号によって発光動作を行うための発光部と、を備えることを特徴とするフィールド順次駆動型液晶表示装置。
【請求項８】
前記ソースドライバは、前記タイミング制御器のデータ制御信号によってデータ信号又はリセット電圧を前記液晶パネルに供給することを特徴とする請求項７に記載のフィールド順次駆動型液晶表示装置。
【請求項９】
前記リセット電圧形成部は、前記データ信号が有するレベルを上回るレベルを有するリセット電圧を形成するために、ＤＣ−ＤＣコンバータ、又はブートストラップ回路を含むことを特徴とする請求項７に記載のフィールド順次駆動型液晶表示装置。
【請求項１０】
前記リセット電圧は、矩形波であることを特徴とする請求項９に記載のフィールド順次駆動型液晶表示装置。
【請求項１１】
前記リセット電圧は、前記リセット区間の間、２つ以上の矩形波を有することを特徴とする請求項１０に記載のフィールド順次駆動型液晶表示装置。
【請求項１２】
前記データ信号は、矩形波であることを特徴とする請求項１１に記載のフィールド順次駆動型液晶表示装置。
【請求項１３】
前記データ信号は、パルス幅の変調による信号であることを特徴とする請求項１２に記載のフィールド順次駆動型液晶表示装置。
【発明の詳細な説明】
【技術分野】
【０００１】
本発明は、液晶表示装置の駆動方法及びこれを実施するための液晶表示装置に関し、より詳細には、フィールド順次駆動の初期化方法及びフィールド順次駆動型液晶表示装置（Field  Sequential  Liquid  Crystal  Display；ＦＳ−ＬＣＤ）に関する。
【背景技術】
【０００２】
フィールド順次駆動方式による液晶表示装置では、カラーフィルタが必須構成要素ではない。一方、通常のＴＦＴ−ＬＣＤの場合、赤色、緑色、青色のカラーフィルタを備えており、バックライトの光源として白色光が要求される。
【０００３】
しかしながら、フィールド順次駆動型液晶表示装置の場合、カラーフィルタの代わりに、赤色ランプ、緑色ランプ及び青色ランプを備えており、１つの画素を構成する液晶に前記３つのランプが順次に点灯され、所定のカラーを具現するようになる。
【０００４】
したがって、通常のフィールド順次駆動型液晶表示装置の場合、１フレーム内に３つのサブフレームが要求される。３つのサブフレームは、赤色フレーム（Ｒ−frame）、緑色フレーム（Ｇ−frame）及び青色フレーム（Ｂ−frame）から構成される。
【０００５】
それぞれのサブフレームは、リセット区間及びデータ書き込み区間を有する。リセット区間は、液晶を初期化するために要求される時間であり、データ書き込み区間は、初期化した液晶がデータ電圧に相当する配向を有するように要求される区間である。データ電圧の書き込みによって液晶が所定の配向をもって配列されれば、サブフレームに相当するランプが点灯される。すなわち、液晶に対する初期化がまず行われ、初期化が行われた液晶に対してデータ電圧が供給され、前記データ電圧に応答して液晶が配向され、液晶の画素電極にデータ電圧が一定期間維持される間、ランプが点灯され、液晶には３つのランプの中から選択されたランプの光が透過される。
【０００６】
しかしながら、フィールド順次駆動型液晶表示装置の場合、リセット区間が従来のＴＦＴ−ＬＣＤに比べて著しく短いリセット時間を有する。すなわち、１フレーム内に３つのサブフレームを有するので、１フレーム内には３つのリセット区間が要求される。したがって、データ電圧による液晶の応答時間などを考慮すれば、リセット時間は、従来に比べて速くならなければならないということは自明な事実である。
【０００７】
図１Ａ及び図１Ｂは、従来技術によりリセット電圧が印加される方法を示すタイミング図及び前記タイミング図による透過率を示すグラフである。
【０００８】
図１Ａは、従来技術によりリセット電圧が印加される方法を示すタイミング図である。
【０００９】
例えば、赤色ランプが点灯されるＲフレームの場合、前記Ｒフレームの開始と共に、液晶に対する初期化が行われる。前記液晶に対する初期化のために、矩形波が周期的に液晶に印加される。すなわち、リセット区間である△ｔ１の間、多数の矩形波が印加され、印加される矩形波によって液晶の初期化が行われる。前記矩形波の大きさは、△Ｖである。
【００１０】
リセット区間が終了すれば、データ書き込み区間が開始される。データ書き込み区間内においてデータドライバを介して印加されるデータ信号は、矩形波の形状を有する。前記矩形波は、実施の形態によってパルス幅の変調方式による信号であってもよい。データ書き込み区間において、矩形波であるデータ信号が有する大きさは、△Ｖである。すなわち、初期化のために使われる矩形波の大きさとデータ信号に使われる矩形波の大きさとは、実質的に同一である。
【００１１】
フィールド順次駆動の場合、リセット区間は、一般的なＴＦＴ−ＬＣＤの駆動に比べて短くなる。したがって、リセット区間内において液晶の初期化が十分に行われないという問題点が発生することがある。
【００１２】
図１Ｂを参照すれば、１フレームは、３つのサブフレーム、すなわちＲフレーム、Ｇフレーム及びＢフレームから構成される。それぞれのサブフレームは、リセット区間及びデータ書き込み区間を有する。
【００１３】
例えば、Ｒフレームは、Ｒリセット区間及びＲデータ書き込み区間から構成される。Ｒリセット区間において初期化のための矩形波が液晶に印加される。リセット区間が十分に長くないため、液晶に対する初期化が完了していない場合、液晶の透過率は、十分に下降せずに、所定のレベルに上昇した状態となる。
【００１４】
液晶に対する初期化が完了していない状態で、Ｒデータ信号の書き込みが開始される。液晶は、液晶の画素電極及び共通電極に印加される電圧差によって配向が決定されるので、正常な場合の液晶の透過率より高い透過率を有する状態に液晶が配列される。したがって、データ信号の印加によって正常な状態の透過率が現れずに、液晶は、正常な透過率より高い透過率を有するようになる。
【００１５】
このような現象は、Ｇフレーム及びＢフレームでも発生する。液晶が十分に初期化しない現象は、液晶の初期化のための矩形波のレベルがデータ信号と同じレベルを有することに起因する。すなわち、フィールド順次駆動方式において、それぞれのサブフレームのリセット区間が十分に設定されていない状態で、データ信号と同じ大きさを有する矩形波が初期化のために適用される場合、液晶の初期化は、完全に行われずに、所望の階調が表現されないという問題点が発生する。
【発明の開示】
【発明が解決しようとする課題】
【００１６】
本発明は、従来のような問題点を解決するためになされたもので、本発明の目的は、データ信号のレベルより高いレベルを有するリセット電圧を印加することによって、液晶の初期化を行うフィールド順次駆動方法を提供する。
【００１７】
また、本発明の他の目的は、データ信号のレベルより高いレベルを有するリセット電圧を印加することによって、液晶の初期化を行うためのフィールド順次駆動型液晶表示装置を提供する。
【課題を解決するための手段】
【００１８】
前記目的を解決するために、本発明の一態様に係るフィールド順次駆動方法は、３つのサブフレームから構成され、それぞれのサブフレームが順次に活性化される液晶の駆動方法であって、前記それぞれのサブフレームは、第１のレベルを有するリセット電圧を印加することによって、液晶を初期化する段階と；前記液晶に前記第１のレベルより低い第２のレベルを有するデータ信号を印加する段階と；前記データ信号が印加される液晶に光を照射する段階とを備えることを特徴とする。
【００１９】
また、本発明の他の態様に係るフィールド順次駆動型液晶表示装置は、映像をディスプレイするための液晶パネルと；前記液晶パネルに走査信号を供給するためのゲートドライバと；前記液晶パネルにデータ書き込み区間の間にデータ信号を供給し、リセット区間の間にリセット電圧を供給するためのソースドライバと；デジタルビデオデータ及び同期信号を供給され、前記同期信号によって映像をディスプレイするための制御信号及びデータ信号を形成するためのタイミング制御器と；前記タイミング制御器のデータ信号を受信し、ルックアップテーブルによって変調されたデータを前記ソースドライバに供給するための階調電圧発生部と；前記タイミング制御器の制御によって前記データ信号が有するレベルを上回るレベルを有するリセット電圧を発生し、前記リセット電圧を前記ソースドライバに供給するためのリセット電圧形成部と；前記タイミング制御器の制御によって光制御信号を発生するための光源制御器と；多数のランプを含み、前記光源制御器の光制御信号によって発光動作を行うための発光部とを備えることを特徴とする。
【発明の効果】
【００２０】
本発明によれば、データ信号のレベルを上回るレベルを有するリセット電圧を液晶に印加することによって、液晶の初期化を行うことができる。すなわち、個別のリセット電圧形成部を備えており、前記リセット電圧形成部は、データ信号より高いレベルを有するリセット電圧を形成してソースドライバに供給し、ソースドライバは、タイミング制御器の制御によって、データ信号及びリセット電圧を選択して液晶に印加することができる。
【発明を実施するための最良の形態】
【００２１】
以下、添付の図面を参照して本発明による好適な実施例を詳細に説明する。
【００２２】
（第１実施例）：
図２Ａ及び図２Ｂは、本発明の第１実施例によりリセット電圧の印加方法を示すタイミング図及び前記タイミング図による透過率を示すグラフである。
【００２３】
図２Ａを参照すれば、それぞれのサブフレーム期間の間に、リセット区間及びデータ書き込み区間が開始される。
【００２４】
リセット区間の間に、リセット電圧が画素に印加される。リセット電圧のレベルは、△Ｖｒであって、データ書き込み区間の間に画素に印加されるデータ信号のレベル△Ｖｄを上回る。すなわち、リセット電圧に使われる矩形波のレベル△Ｖｒは、データ信号のレベル△Ｖｄより高いレベルを有する。
【００２５】
また、リセット電圧に使われる矩形波の時間間隔は、リセット区間内の時間間隔以下である。すなわち、リセット区間の間、前記矩形波は、△Ｖｒのレベルを維持しつつ、画素に印加されることができ、２つ以上の矩形波の形態で△Ｖｒのレベルをもって画素に印加されることもできる。
【００２６】
データ信号のレベル△Ｖｄを上回るレベル△Ｖｒのリセット電圧が印加される場合、画素は、データ信号レベル△Ｖｄと同じレベルのリセット電圧が印加される場合より、一層速い速度で初期化する。したがって、液晶の初期化に所要される時間は減少するようになる。
【００２７】
リセット区間が終了すれば、データ書き込み区間が開始される。データ書き込み区間の間、データ信号は、△Ｖｄのレベルをもって液晶に印加される。前記データ信号が印加される液晶は、データ信号のレベル、又は印加される時間に相当するように配列状態が決定され、液晶の配列によって液晶は所定の透過率を有することになる。所定の透過率を有する液晶に対して赤色ランプ、緑色ランプ及び青色ランプのうちいずれか１つのランプが点灯され、映像がディスプレイされる。
【００２８】
また、前記データ信号は、パルス幅の変調による信号であってもよい。すなわち、矩形波の形態であるデータ信号の幅は、可変的なものであり、データ信号の幅を可変することによって、所定の階調を表現することもできる。
【００２９】
図２Ｂを参照すれば、１フレームは、３つのサブフレーム、すなわちＲフレーム、Ｇフレーム及びＢフレームから構成される。それぞれのサブフレームは、リセット区間及びデータ書き込み区間を有する。
【００３０】
例えば、Ｒフレームは、Ｒリセット区間及びＲデータ書き込み区間から構成される。Ｒリセット区間の間、前記リセット電圧のレベル△Ｖｒは、データ信号のレベル△Ｖｄ以上に設定されていて、印加されるリセット電圧により画素は充分に初期化される。即ち、画素の初期化の程度は、画素に印加されるリセット電圧のレベル及び印加時間に依存する。したがって、データ信号のレベル△Ｖｄ以上のレベル△Ｖｒのリセット電圧を画素に印加する場合、前記画素は、容易に初期化する。
【００３１】
また、前記図２Ａに示すように、前記リセット電圧は、１つの矩形波であってもよく、２つ以上の矩形波が所定の時間間隔で連続的に印加されてもよい。すなわち、１つのサブフレームの間、リセット電圧は、データ信号のレベル△Ｖｄを上回るレベル△Ｖｒをもって１つの矩形波の形態で印加されることができ、２つ以上の矩形波の形態で印加されてもよい。
【００３２】
本実施例によりデータ信号レベル△Ｖｄを上回るリセット電圧のレベル△Ｖｒが印加される場合、画素が初期化する。したがって、リセット区間の終了時点で、画素の透過率は、液晶の初期化を満足する状態に下降する。
【００３３】
Ｒリセット区間に引き続いて、Ｒデータ書き込み区間が開始される。前記Ｒデータ書き込み区間の間、Ｒデータ信号が画素に印加される。前記Ｒデータ信号は、△Ｖｄのレベルをもって矩形波の形態で画素に印加される。前記図２Ｂでは、前記Ｒデータ信号が一定のハイレベル区間を有し、一定の時間間隔を有するものと示されているが、前記Ｒデータ信号は、パルス幅の変調による信号であってもよい。すなわち、Ｒデータ信号のハイレベル区間は、可変的なものであり、Ｒデータ区間の間、印加される矩形波のハイレベル区間は、表現される階調によって変更されることができる。
【００３４】
Ｒデータの書き込みにより液晶が所定の配列状態を持続する場合、赤色光源が点灯され、所定の透過率を有する液晶は、赤色の色調（ｔｉｎｔ）を呈するようになる。
【００３５】
Ｒデータ信号の書き込み区間の間、Ｒデータが書き込まれ、赤色光源の点灯が終了すれば、Ｇフレームが開始される。
【００３６】
前記Ｇフレームは、Ｇリセット区間及びＧデータ書き込み区間を有する。
【００３７】
Ｇリセット区間の間、リセット電圧が印加される。前記Ｇリセット区間の間に印加されるリセット電圧は、△Ｖｒのレベルを有する矩形波の形状を有する。すなわち、Ｒリセット区間において、図示のように、Ｇデータ信号が有するレベル△Ｖｄを上回るレベルを有するリセット電圧が、赤色をディスプレイした液晶に印加される。△Ｖｄを上回る△Ｖｒのレベルを有するリセット電圧により液晶は初期化し、Ｇデータ信号の書き込みが可能な状態に転換される。
【００３８】
初期化が完了した液晶は、透過率が十分に下降した状態となる。また、初期化した液晶にＧデータ信号が印加され、緑色光源が点灯される。
【００３９】
続いて、Ｂフレームが開始され、Ｇデータが書き込みされた液晶に対する初期化が行われる。液晶に対する初期化を行うリセット電圧は、Ｂリセット区間内で印加される。前記Ｂリセット区間内に印加されるリセット電圧は、△Ｖｒのレベルを有する。
【００４０】
上述のように、フィールド順次方式において、液晶に対する初期化は、データ信号のレベル以上のリセット電圧を印加することによって行われる。したがって、液晶の初期化は、速く進行され、初期化のために設定されるリセット区間は、短くなることができる。
【００４１】
（第２実施例）：
図３は、本発明の第２実施例により液晶の初期化を行うためのフィールド順次駆動型液晶表示装置を示すブロック図である。
【００４２】
図３を参照すれば、本実施例によるフィールド順次駆動型液晶表示装置は、液晶パネル１００と、前記液晶パネル１００に走査信号を供給するためのゲートドライバ１１０と、前記液晶パネル１００にデータ信号及びリセット電圧を供給するためのソースドライバ１２０と、デジタルビデオデータ及び同期信号を供給されるためのタイミング制御器１３０と、タイミング制御器１３０とソースドライバ１２０との間に連結される階調電圧発生部１４０と、リセット電圧を形成するためのリセット電圧形成部１５０と、多数のランプを駆動するための光源制御器１６０と、光源制御器の光制御信号によって発光動作を行う発光部１７０とから構成される。
【００４３】
前記液晶パネル１００は、データライン１０１と走査ライン１０３とが交差する領域に形成された画素１０５を含む。それぞれの画素１０５は、映像をディスプレイするための液晶を有する。
【００４４】
ゲートドライバ１１０は、走査ライン１０３を介して走査信号を前記画素１０５に供給する。走査信号が印加された画素１０５の薄膜トランジスタＴＦＴは、選択的にオンとなり、データ信号の書き込みが可能な状態となる。
【００４５】
ソースドライバ１２０は、データライン１０１を介してデータ信号を前記画素１０５に供給する。画素１０５の液晶は、画素電極と共通電極との間に印加されるデータ信号によって所定の配向状態を有し、配向状態によって映像の階調が表現される。また、前記ソースドライバ１２０は、リセット電圧をそれぞれの画素１０５に供給し、画素１０５を構成する液晶の初期化を行う。
【００４６】
タイミング制御器１３０は、デジタルビデオデータＤａｔａと、垂直同期信号Ｖsynt及び水平同期信号Ｈsyntを受信する。前記タイミング制御器１３０は、受信されたデジタルビデオデータＤａｔａを赤色データ、緑色データ及び青色データに整列（R,G,B  Data）し、階調電圧発生部１４０に出力する。また、前記タイミング制御器１３０は、ゲートドライバ１１０が順次に走査信号を発生するように、走査制御信号Ｓｇを発生し、ソースドライバ１２０がデータ信号又はリセット電圧を画素に印加できるように、データ制御信号Ｓｄを発生する。
【００４７】
階調電圧発生部１４０は、タイミング制御器１３０から赤色データ、緑色データまたは青色データを受信し、ルックアップテーブルによって変調されたデータをソースドライバに出力する。ソースドライバは、変調されたデータを受信し、データ制御信号Ｓｄによって変調されたデータをサンプリングし、ラッチして、それぞれのデータラインに供給する。
【００４８】
リセット電圧形成部１５０は、タイミング制御器１３０からの制御信号Ｒｃによって制御され、データ信号レベルを上回るレベル値のリセット電圧Ｒｖを形成し、その形成されたリセット電圧Ｒｖは、ソースドライバ１２０に入力される。前記ソースドライバ１２０は、データ制御信号Ｓｄによって、リセット電圧Ｒｖ、又は階調電圧発生部１４０の出力である変調されたデータを選択する。したがって、リセット区間と判断される場合、リセット電圧Ｒｖが選択され、データラインに供給される。
【００４９】
また、リセット電圧形成部１５０は、データ信号が有するレベルを上回るレベル値を有するようにするために、ＤＣ−ＤＣコンバータ（DC-DC  Converter）、またはブートストラップ回路を含むことができる。
【００５０】
光源制御器１６０は、タイミング制御器１３０の制御によって１フレームの間に赤色ランプＲ、緑色ランプＧ及び青色ランプＢを順次に点灯及び消灯する。すなわち、赤色ランプＲの点灯及び消灯、緑色ランプＧの点灯及び消灯、青色ランプＢの点灯及び消灯が順次に発生する。また、ランプの消灯と他のランプの点灯との間には、液晶に対する初期化のためのリセット区間が設定される。
【００５１】
上述のようにように、リセット区間で液晶に供給されるリセット電圧Ｒｖを、データ信号のレベルを上回るレベルをもって液晶に印加することができる。
【００５２】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００５３】
【図１Ａ】従来技術によりリセット電圧が印加される方法を示すタイミング図である。
【図１Ｂ】従来技術によるリセット電圧印加のタイミングに対応する透過率を示すグラフである。
【図２Ａ】本発明の第１実施例によるリセット電圧の印加方法を示すタイミング図である。
【図２Ｂ】本発明の第１実施例によるリセット電圧印加のタイミングに対応する透過率を示すグラフである。
【図３】本発明の第２実施例の液晶の初期化を行うためのフィールド順次駆動型液晶表示装置を示すブロック図である。
【符号の説明】
【００５４】
１００  液晶パネル
１１０  ゲートドライバ
１２０  ソースドライバ
１３０  タイミング制御器
１４０  階調電圧発生部
１５０  リセット電圧形成部
１６０  光源制御器
１７０  発光部
【図１Ａ】
2006227569.tif 000003
【図１Ｂ】
2006227569.tif 000004
【図２Ａ】
2006227569.tif 000005
【図２Ｂ】
2006227569.tif 000006
【図３】
2006227569.tif 000007